(57)【要約】      （修正有）【課題】高膨張泡消火設備において、発泡機が縦列に配置される場合でも、その発泡倍率が低下するのを防ぐ。【解決手段】高膨張泡消火設備１であって、筐体３と、前記筐体３の内部に設けられ、泡水溶液を前方に放射するノズルと、前記筐体３の後端側に設けられ、空気を後方から吸引する空気吸引部４と、前記筐体３の前端側に設けられ、高発泡の泡を発泡して前方に放出する発泡網５と、前記筐体３の空気吸引部４に露出して設けられ、泡の流入を防ぎつつ、空気を吸引する吸気アダプタ６と、を有することを特徴とする。【選択図】図１
2020151080.tif 000002
【特許請求の範囲】
【請求項１】
筐体と、
前記筐体の内部に設けられ、泡水溶液を前方に放射するノズルと、
前記筐体の後端側に設けられ、空気を後方から吸引する空気吸引部と、
前記筐体の前端側に設けられ、高発泡の泡を発泡して前方に放出する発泡網と、
前記筐体の空気吸引部に露出して設けられ、泡の流入を防ぎつつ、空気を吸引する吸気アダプタと、を有する発泡機を備えたことを特徴とする高膨張泡消火設備。
【請求項２】
前記吸気アダプタは、網状、かつ有底筒状の形状をなすことを特徴とする請求項１に記載の高膨張泡消火設備。
【請求項３】
前記発泡機は、複数が防護領域の長さ方向に沿って所定の間隔で配置されて設けられるものであり、また、前記吸気アダプタは、前記発泡機全体としての長さが前記複数の発泡機間の所定の間隔の略半分となる長さを有することを特徴とする請求項１又は２に記載の高膨張泡消火設備。
【発明の詳細な説明】
【技術分野】
【０００１】
この発明は、高発泡の泡を発泡、放出して消火する高膨張泡消火設備に関するものである。
【背景技術】
【０００２】
高膨張泡消火設備は、ノズルから放射される泡水溶液が空気と共に発泡網に衝突して高い発泡倍率（６５０〜１０００倍程度、１０００倍を超えることもある）で発泡し、その高発泡の泡で窒息消火を行うものである。
【０００３】
高膨張泡消火設備には、発泡機による発泡時の空気の吸引方式として、アウトサイドエア式などと呼ばれる、泡を放出する区画外の空気を吸引して発泡するものと、インサイドエア式などと呼ばれる、泡を放出する区画内の空気を吸引して発泡するものがあるが、閉鎖空間を防護領域とする場合、インサイドエア式のものの方が施工を安価にすることができ、有利である（インサイドエア式のものとして、例えば、特許文献１参照）。
【先行技術文献】
【特許文献】
【０００４】
【特許文献１】特開平０６−１６５８３７号公報
【発明の開示】
【発明が解決しようとする課題】
【０００５】
このような高膨張泡消火設備を、ケーブル（通信ケーブル等）の洞道等の細長い閉鎖空間を防護領域として設けることが考えられる。その場合、発泡機をインサイドエア式のものとして、それを複数、防護領域の上方に長さ方向に沿って縦列に配置して設けることになる。
【０００６】
しかしながら、発泡機を縦列に配置して設ける場合、防護領域に積み上がる泡の高さ次第では、発泡機後端部側の空気吸引部から後方の発泡機が放出する泡が流入してしまい、それにより十分に空気を吸引することができなくなり、発泡倍率が低下するという問題が生じることがある。
【０００７】
例えば、ケーブルの洞道が防護領域である場合、防護対象物となるケーブルが洞道内の壁面に設けられるラックに支持されて、天井付近の高さにまで敷設されるため、天井部に発泡機を設置しても、そのケーブルを泡で埋め尽くす状態（「冠泡」と呼ばれる状態）にするには、発泡機の設置高さまで泡を積み上げる必要があり、後方の発泡機が放出する泡が発泡機内に流入することによる、前記の発泡倍率が低下するという問題が必然的に生じることになる。
【０００８】
この発明は、上記の事情に鑑み、高膨張泡消火設備において、発泡機が縦列に配置される場合でも、その発泡倍率が低下するのを防ぐことを目的とする。
【課題を解決するための手段】
【０００９】
この発明は、筐体と、前記筐体の内部に設けられ、泡水溶液を前方に放射するノズルと、前記筐体の後端側に設けられ、空気を後方から吸引する空気吸引部と、前記筐体の前端側に設けられ、高発泡の泡を発泡して前方に放出する発泡網と、前記筐体の空気吸引部に露出して設けられ、泡の流入を防ぎつつ、空気を吸引する吸気アダプタと、を有する発泡機を備えたことを特徴とする高膨張泡消火設備、である。
【００１０】
この発明において、前記吸気アダプタは、網状、かつ有底筒状の形状をなすものとすることができる。ここで、前記網状の形状は、泡の流入を防ぎつつ、空気を吸引することができる網目サイズを有するものとすることができる。
【００１１】
また、この発明において、前記発泡機は、複数が防火領域の長さ方向に沿って所定の間隔で配置されて設けられるものとすることができ、前記吸気アダプタは、前記発泡機全体としての長さが前記複数の発泡機間の所定の間隔の略半分となる長さを有するものとすることができる。
【発明の効果】
【００１２】
この発明においては、吸気アダプタによって、発泡機に泡が流入するのを防ぐことができ、十分に空気を吸引することができる。
【００１３】
したがって、この発明によれば、高膨張泡消火設備において、発泡機が縦列に配置される場合でも、その発泡倍率が低下するのを防ぐことができる。
【図面の簡単な説明】
【００１４】
【図１】この発明の高膨張泡消火設備の実施形態の一例を示したものであり、防護領域の一例であるケーブルの洞道（細長い閉鎖空間）に長さ方向に縦列に配置される発泡機から泡が放出されて、その泡が積み上がる途中の状態における洞道内部の様子を側方から見て示した説明図である。
【図２】図１と同様の説明図であり、同図の状態からさらに泡が積み上がり、発泡機の設置高さまで到達して、防護対象物であるケーブル（図示省略）を泡で埋め尽くした状態（「冠泡」の状態）における洞道内部の様子を示したものである。
【図３】発泡機とケーブルを支持するラックの位置関係を示したものであり、洞道内部を前方から見て示した説明図である。
【発明を実施するための形態】
【００１５】
この発明の高膨張泡消火設備の実施形態の一例について、細長い閉鎖空間であるケーブル（通信ケーブル等）の洞道を防護領域として設ける場合を例に、図１乃至３を参照しつつ説明する。なお、この発明の高膨張泡消火設備は、発泡機が縦列に配置される防護領域であれば、ケーブルの洞道に限らず、他の洞道を防護領域としても、好適に設けることができるし、洞道に限らず、他の細長い閉鎖空間を防護領域としても、好適に設けることもできる。
【００１６】
・発泡機
この発明の高膨張泡消火設備１は、高発泡の泡を発泡、放出する構成部分として、発泡機２を備える（図１乃至３参照）。なお、発泡機２に泡水溶液を供給する手段等の他の構成部分もさらに備えるが、それら他の構成部分の図示及び説明は省略する。
【００１７】
発泡機２は、筐体３と、筐体３内に設けられて、泡水溶液を筐体３内前方に放射するノズル（図示省略）と、筐体３の後端側に設けられて、筐体３内に開口（図示省略）を介して空気を後方から吸引する空気吸引部４と、筐体３の前端側に設けられて、ノズルによって放射される泡水溶液が空気吸引部４によって吸引される空気と共に衝突し、高発泡の泡を発泡して前方に放出する発泡網５と、を有する（図１及び２参照）。
【００１８】
・吸気アダプタ
そして、発泡機２は、筐体３の空気吸引部４に露出して設けられて、泡の流入を防ぎつつ、空気を吸引する吸気アダプタ６をさらに有する（図１及び２参照）。この吸気アダプタ６を有することにより、発泡機２は、後記で詳細に説明するように、防護領域に縦列に配置される場合でも、空気を十分に吸引することができ、その発泡倍率が低下するのを防ぐことができる。
【００１９】
・・全体形状
本実施形態において、吸気アダプタ６は、有底筒状（図示の例の場合、筐体３の四角形の断面形状と同様の四角形の断面形状の有底四角筒状）の外形を有し、中空の内部が空気吸引部４の開口を介して筐体３の内部に連通しつつ、開口側が空気吸引部４に連結されて、底側が後方に向かう向きで、全体として空気吸引部４から後方に延出するように露出して設けられる。
【００２０】
なお、この吸気アダプタ６の外形については、その外形を画定する壁部６ａが後記で説明するような網状をなすものとして形成されれば、有底筒状の形状に限らず、例えば、球欠状等の他の形状としてもよい。また、吸気アダプタ６の空気吸引部４への取り付け方法としては、空気吸引部４の内側（開口内）に吸気アダプタ６を挿入するようにして取り付けてもよいし、空気吸引部４の外側に被せるようにして取り付けてもよい。さらに、吸気アダプタ６を筐体３に長さ方向に移動可能に取り付けて、吸気アダプタ６の後方への出幅を調節可能としてもよい。
【００２１】
・・網状の壁部
さらに、吸気アダプタ６は、その外形を画定する壁部６ａが網板からなり、泡の流入を防ぎつつ、空気を吸引することができる網目サイズを有する網状をなすものとして形成される。その網板としては、金属製の網板（織金網だけでなく、エキスパンドメタルやパンチングメタル等を含む）等を用いることができる。また、その網目サイズとしては、例えば、１０メッシュ／インチ以上、好ましくは１０メッシュ／インチ程度とすることができる。網目をその程度のサイズのものとすることにより、吸気を過度に妨げずに、泡の流入を十分に防ぐものとすることができる、すなわち、泡の流入を十分に防ぎつつ、空気を十分に吸引するのに好適なものとすることができる。なお、吸気アダプタ６の表面積を大きくすれば、全体の網目数を増加させて、吸気量を増加させることができるので、網目のサイズを前記のものよりも小さくしたとしても、泡の流入を十分に防ぎつつ、空気を十分に吸引させるようにすることは可能である。つまり、吸気アダプタ６の表面積を大きくすれば、網目のサイズを１０メッシュ／インチよりも小さくすることは可能である。
【００２２】
なお、吸気アダプタ６は、その外形を画定する壁部６ａのすべてを全面網状（図示の例は、全面網状）をなすものとすることができる。一部の壁部６ａだけを全面網状をなすものとしたり、一部網状をなすものとしたりすることもできるが、すべての壁部６ａを全面網状をなすものとすれば、より多くの空気を吸引することができる。さらに、吸気アダプタ６の空気吸引部４側に取り付けられる面も網状になっていてもよい。すなわち、吸気アダプタ６を、例えば６面のすべてが網状の箱状のものとしてもよい。
【００２３】
・防護領域（洞道）
この発明の高膨張泡消火設備１は、例えば、ケーブル（通信ケーブル等）の洞道を防護領域として設けることができる。
【００２４】
ケーブルの洞道Ｔは、細長い閉鎖空間を形成し（図１及び２参照）、通常、その壁面には、長さ方向に沿って敷設されるケーブルを支持する複数段のラックＲが壁面上の高い位置（天井近くの位置）まで設けられる（図３参照）。このような洞道Ｔに対し、発泡機２は、複数台が、天井面に吊り下げられて上方に位置しつつ、長さ方向に沿って所定の間隔で縦列に配置されて設けられる（図１乃至３参照）。
【００２５】
・泡の放出、積み上げ
洞道Ｔ内に発泡機２が前記のように縦列に配置される場合、発泡機２から放出される泡Ｆは、前後に泡の山を連ねて形成するように積み上がっていくことになる（図１参照）。そして、ラックＲの最上段が上方の発泡機２の設置高さと同程度の高さに位置する場合（図３参照）、防護対象物であるケーブルをラックＲの最上段に支持されるものまで泡Ｆで覆い尽くして冠泡の状態にするには、発泡機２の設置高さまで泡Ｆを積み上げることになる（図２参照）。
【００２６】
・・泡の流入防止
発泡機２は、前記の通り、空気吸引部４に設けられて、泡の流入を防ぎつつも、空気を吸引する吸気アダプタ６を有する。そのため、発泡機２は、放出される泡Ｆが発泡機２の設置高さまで積み上がったときでも、すなわち、吸気アダプタ６がなければ、空気吸引部４から泡Ｆが流入するほどに泡Ｆが積み上がったときでも、吸気アダプタ６があることによって、発泡機２内に泡Ｆが流入するのを防ぐことができ、吸気アダプタ６の上部側から空気を十分に吸引することができる（図２参照）。これにより、発泡機２は、前記のように縦列に配置される場合でも、発泡倍率が低下するのを防ぐことができる。
【００２７】
・・空気溜まりの発生防止
発泡機２から放出される泡Ｆは、前記の通り、前後に泡の山を連ねて形成するように積み上がっていく（図１参照）。その過程で、積み上がる泡の山と山の間に挟まれて、それ以上の泡の積み上げができない空気溜まりが、縦列に配置される発泡機２と発泡機２との間に発生することがある。特に、発泡機２と発泡機２との間の中間部付近に空気溜まりが発生し易い。空気溜まりが発生すると、その発生した箇所で必要な高さまでの泡の積み上げができなくなり、ケーブル等の防護対象物を冠泡することができなくなる。
【００２８】
しかしながら、発泡機２は、前記の通り、吸気アダプタ６を有し、それが空気吸引部４から後方に延出するように設けられる。そのため、吸気アダプタ６を有する分、より後方から空気を吸引することができる。つまり、発泡機２は、吸気アダプタ６を有することにより、空気溜まりが発生し易い、発泡機２の間の中間部付近により近い位置から空気を吸引することができ、空気溜まりが発生するのを防ぐことができる。
【００２９】
ここで、図示は省略するが、吸気アダプタ６を長尺のものとして、その吸気アダプタ６を含む発泡機２全体の長さが発泡機２と発泡機２との間の間隔の長さの半分になる長さのものとすることができる。そのようにすれば、吸気アダプタ６の後端部を、空気溜まりが発生し易い、発泡機２の間の中間部付近に位置させて、その位置から空気を吸引することができ、空気溜まりが発生するのをより防ぐことができる。
【００３０】
・実施形態の変更例等
以上、この発明の高膨張泡消火設備の実施形態の一例について説明したが、この発明は上記の例に限定されるものではなく、発明の趣旨の範囲内で種々の変更等が可能である。
【００３１】
例えば、上記の実施形態では、この発明の高膨張泡消火設備を、細長い閉鎖空間を防護領域として設ける場合を例に説明したが、この発明の高膨張泡消火設備は、防護領域を冠泡する必要のある閉鎖空間であれば、細長いものに限らず、設けることは可能である。
【符号の説明】
【００３２】
１：高膨張泡消火設備  ２：発泡機  ３：筐体  ４：空気吸引部
５：発泡網  ６：吸気アダプタ  ６ａ：壁部  Ｆ：泡  Ｒ：ラック
Ｔ：洞道
【図１】
2020151080.tif 000003
【図２】
2020151080.tif 000004
【図３】
2020151080.tif 000005